(57)【特許請求の範囲】
【請求項１】
ウェブ上の目印表示を折り重ね点に合わせるための方法であって、
抄紙方向に所定の間隔をおいて並ぶ、検出可能な一続きの目印表示を有するウェブを供給する工程と；
前記ウェブに幅方向折り線を生じさせる、所定の一定の角速度で回転する一対の折り重ね用シリンダを準備する工程と；
センサ検出位置にあって、前記折り重ね用シリンダから前記抄紙方向に予め決められた距離だけ間隔を離して配置された光センサを準備する工程と、ここで、前記光センサが、間隔をおいて並ぶ前記目印表示を連続的に検出してリアルタイム・パルスを含む第１信号を発生しており；
前記折り重ね用シリンダに連結されたレゾルバを準備する工程と、ここで、前記レゾルバが、前記折り重ね用シリンダの回転角度を追跡検出し、前記回転角度に対応する数値を有する第２信号を発生しており；
前記第１信号および前記第２信号を受信し、かつ前記幅方向折り線が前記目印表示に一致して間隔をおきながら連続して配置されるようにウェブ速度を調節する、ウェブ速度制御装置を準備する工程と；
前記ウェブ速度の調節に対応してウェブ張力の変動に対する補償を可能にするためにニップロールの上流にウェブ張力ロード・セルを準備する工程と；
前記目印表示が検出可能な状態で前記光センサを通過するように前記ウェブを前記光センサに近接させて抄紙方向に前進させる工程と；
前記幅方向折り線が前記目印表示に一致して間隔をおきながら連続して配置されるように前記ウェブ速度を前記ウェブ速度制御装置によって調節する工程と；
を含む方法。
【請求項２】
前記ウェブ速度制御装置が、前記第１信号および前記第２信号を受信する信号比較器を備え、かつ可変速度ニップ・ロールに接続されたサーボ・モータによって前記ウェブ速度を調節する、請求項１記載の方法。
【請求項３】
前記信号比較器が、前記第１信号により与えられるリアルタイム・パルスと、前記第２信号により与えられる前記回転角度に対応する数値とに基づいて誤差信号を発生する、請求項２記載の方法。
【請求項４】
前記誤差信号が、所定の特定の数値と、前記第１信号により与えられるリアルタイム・パルス毎に前記第２信号により与えられる実検出数値との差である、請求項３記載の方法。
【請求項５】
前記ウェブ速度制御装置が、前記誤差信号を間断なくゼロに減少させる、請求項４記載の方法。
【請求項６】
前進するウェブ上で、幅方向折り線の位置を、抄紙方向に所定の間隔をおいて並ぶ一続きの目印表示に合わせて調節するための装置であって、
前記ウェブを前進させるモータ駆動回転要素と；
前記幅方向折り線を前記抄紙方向に間隔をおいて連続的に発生させる一対の折り重ね用シリンダと；
前記間隔おいて並ぶ一続きの目印表示が検出可能な状態で光センサを通過して前記光センサがリアルタイム・パルスを含む第１信号を発生できるように、前記折り重ね用シリンダから抄紙方向に予め決められた距離だけ間隔を離して前記ウェブに近接してセンサ位置に配置された光センサと、
前記折り重ね用リンダに連結されたレゾルバと、ここで、前記レゾルバが、前記折り重ね用シリンダの回転角度を追跡検出し、その回転角度に対応する数値を有する第２信号を発生しており；
前記光センサおよび前記レゾルバに接続されたウェブ速度制御装置と、ここで、前記ウェブ速度制御装置が、前記第１信号および前記第２信号を受信し、前記幅方向折り線が前記目印表示に一致するように前記モータ駆動回転要素によってウェブ速度を調節し；
前記ウェブ速度の調節に対応してウェブ張力の変動に対する補償を可能にするためのニップロールの上流のウェブ張力ロード・セルと；
を備える装置。
【請求項７】
前記ウェブ速度制御装置が、信号比較器と、前記モータ駆動回転要素に接続されたサーボ・モータとからなる、請求項６記載の装置。
【請求項８】
前記信号比較器が、前記第１信号により与えられるリアルタイム・パルスと、前記第２信号により与えられる前記検出数値に基づいて誤差信号を発生する、請求項７記載の装置。
【請求項９】
前記誤差信号が、所定の特定の値と、前記第１信号により与えられるリアルタイム・パルス毎に前記第２信号により与えられる実検出数値との差である、請求項８記載の装置。
【請求項１０】
前記ウェブ速度制御装置が、前記誤差信号を前記サーボ・モータによって間断なくゼロに減少させる、請求項９記載の装置。
【発明の詳細な説明】
【０００１】
発明の分野
本発明は、表示を紙ウェブ上の予め定められた空間内への整合させる発明に係る。更に、詳しくは、本発明は、折り畳み作動、切断作動といった紙の加工作動中に表示の位置を制御することに関する。
【０００２】
発明の背景
家庭使用のシートは当該技術分野において良く知られている。印刷などにより当シートを装飾することが望まれることがある。印刷により美的に満足のいく模様がシートに付与される。この替わりに、シートをエンボス加工して触覚的にも判別できる美的にも満足のいく模様を付けることもできる。
【０００３】
シートは、典型的には連続した形で作られ、後に所望の個々の長さに切断される。当個々の長さへの切断は、消費者が１枚のシートを終端線で残りの連続した用紙から切り離すことにより行われるように、使用の時点で行われてもよい。この目的のために、終端線は典型的にはミシン目のような弱化線からなる。この替わりに、使用時点前に、連続用紙が折り畳まれ、個々の部分に切断されてもよい。このような手配は、製造中に折り畳まれ、切断され、消費者に個々の単位として購入される個別のナプキンに行われることがある。
【０００４】
加工作動中にシートが連続して送られている間にシートの幅方向に表示を整合させることは先行技術において比較的容易であった。しかし、抄紙方向に表示を整合させることは更に難しく、加工機械により形成された終端線、ミシン目線、あるいは折り畳み線と表示を整合させることは特に難しい。
【０００５】
ウェブの滑りあるいは伸びによるウェブの抄紙方向の狂いにより、滑りあるいは伸びの後の表示のそれぞれが加工機械と整合しなくなることがないようにするには同期装置が必要である。ウェブの表示と加工機械との無視できない不整合は、その不整合に影響を受けるウェブの後続部分をスクラップにすることとなる。従って、行われている作動に対して抄紙方向に表示を整合させなければならないいずれの商業的高速加工作動にも正確なウェブ同期装置は必須である。
【０００６】
ウェブ表示の特定の加工作動との同期性を制御するには、加工作動機械において必要な調整をするために、表示の加工作動との整合度を監視する必要がある。当該監視装置は、一般的に光電走査装置であり、各表示に関連する、ウェブ上の整合マークを感知して表示参照信号を発生する当該技術でフォト・アーイ装置と一般的に呼ばれるものからなる。理想的な状態において、 フォト・アーイ装置は作動ステーション内に設けられ、関連する加工作動がウェブ上に行われている丁度その時に整合マークを感知するであろう。加工作動により発生される参照信号はウェブ表示信号と共に信号比較器に入力されてウェブと加工作動を行っている装置との間の不整合度を決定する。糸（システム）は加工装置の伸長を調整することにより不整合を補正する。しかし、加工作動が行われている、ウェブの同一領域上に位置する整合マークを検出できるフォト・アーイ装置を加工装置の近くに位置させることは物理的に不可能なことがある。
【０００７】
フォト・アーイ装置をウェブ上に行われる加工作動から離して設置することは、１９９８年９月８日にマックネイルに出された米国特許第5,802,972号明細書に記載されており、その開示は本明細書に引用記載されている。マックネイルは、抄紙方向に移動しているウェブ上に印刷されている装飾表示を幅方向に整列されたミシン目と整合させることを記載している。フォト・アーイは信号比較器を介して不整合を検出して、ウェブの速度が一定である間に印刷作動かミシン目孔開け作動かを調整する。
【０００８】
ミシン目孔開け作動あるいは印刷作動のような直列作動の速度の変更は、行われている作動を経たウェブを引っ張る１組のニップ・ロールか巻き取り作動によりウェブ速度が維持されている場合に、行われることができる。折り畳み作動中に、折り畳みシリンダーの回転を調整して印刷整合を調整するにはウェブ速度を同時に調整することを要するため、折り畳みシリンダーは典型的には工程の最後の作動である。このような複雑な装置システムの設計は可能かもしれないが、その維持管理はその設計をとくに高速用には非実用的とするかもしれない。
【０００９】
本発明の場合、目印表示の不一致を検出するセンサは折り重ね操作よりも上流にある設定距離を保って配置されており、ウェブの速度を調節するため一組みのニップ・ロールがセンサと折り重ね操作との間に配置される。ウェブ速度制御装置は目印表示の位置を折り重ねシリンダで生じさせる折り線に同期させるためウェブ速度を上昇し、あるいは減少するようにニップ・ロールの速度を変化させる。
【００１０】
発明の概要
本発明はウェブ上の目印表示を折り線に合わせる方法を提供する。この方法は抄紙方向にある間隔をおいて並ぶ一続きの目印表示を有するウェブを供給することを含む。このウェブが抄紙方向に前進したとき、目印表示は一対の折り重ねシリンダの回転角に対応する位置合わせ用目印の位置を検出している光センサと並置した状態なる。一対の折り重ねシリンダは光センサから抄紙方向に予め決められた距離だけ間隔を離している。光センサは折り重ねシリンダで生じさせる折り線に対応して位置合わせ用目印の位置を同期させるため抄紙方向にウェブ移動速度を調節するウェブ速度制御装置に接続する。
【００１１】
ウェブ速度制御装置は第１信号および第２信号を受信する比較器を備える。この第１信号はウェブ上の位置合わせ用目印の位置を検出する光センサにより与えられる。第２信号は折り重ねシリンダの回転角を検出するレゾルバにより与えられる。比較器は目印表示と折り線との不一致を表わす誤差信号を発生する。誤差信号が発生しとき、これをゼロにするようにウェブ速度をニップロールによって上昇させ、あるいは減少させる。
【００１２】
発明の詳細な説明
ここに使われている下記の用語は、次の意味を持っている。
【００１３】
"Ｘ−Ｙ"方向は紙ウェブの平面を規定する。
【００１４】
"抄紙方向"は"ＭＤ"と呼ばれ、紙ウェブの加工装置内の流れに平行な方向である。
【００１５】
"幅方向"はＣＤと呼ばれ、Ｘ−Ｙ面における抄紙方向に直角な方向である。
【００１６】
"下流"はＭＤにおけるウェブの流れの向きである。
【００１７】
"上流"はＭＤにおけるウェブの流れに反対の向きである。
【００１８】
"エンボス加工"はセルロース繊維構造体の相対的に小さい部分を構造体平面に直角に偏向させ、繊維構造体の突出部分を相対的に硬い面に衝突させて繊維間結合を永久に破壊させる方法である。
【００１９】
"ニップ・ロール"は二本の平行な軸の中心を結ぶ負荷面を形成する１対のロールである。
【００２０】
"繰り返し"は模様が２回以上形成される。
【００２１】
"表示"は識別可能なマークで、装飾的な面を持つ。
【００２２】
"整合マーク"は１個の表示の位置をもう１つの表示に対して特定する参照点である。
【００２３】
"デザイン"は繰り返し模様の１個の表示の原点から次の表示の原点までの距離である。
【００２４】
"ウェブ速度"はウェブが加工装置内を進む速度である。
【００２５】
"整合"は正確に配列されている、即ち、適正な相対的位置にある状態である。
【００２６】
図１Ａと図１Ｂとを参照する。進行しているウェブ１２上の表示４５をウェブ１２上になされる特定の加工作動に整合させることは、その作動が折り畳み作動あるいは切断作動といった加工ラインの終端になされる作動である場合には、特に難しい。表示４５が折り畳みあるいは切断と整合するように、作動している機械をラインの終端で調整するには、特に高速作動には維持することが難しいウェブ速度の同時調整を典型的に必要とする。従って、ラインの終端に近接配置された機械が一定の速度で作動し、かつウェブ速度がどのような不整合にも調整できるように調整される加工作動を提供することがさらに望ましい。
【００２７】
本発明のウェブ１２は平坦で、軟らかく、吸収性である。ウェブ１２は、化粧用ティシュ、紙タオル、食事用マット、ナプキン等の用途に使用するのに適している。ウェブ１２はセルロース製品、好ましくは紙である。本発明のウェブ１２は、トローカンに１９８０年３月４日発行の米国特許第4,191,609号明細書、トローカンに１９８７年１月２０日発行の米国特許第4,637,859号明細書、トローカン等に１９９３年９月１４日に発行の米国特許第5,245,025号明細書に従って作られてもよく、これらの特許の開示事項はここに参照により取り込んでいる。
【００２８】
前記特許明細書により説明されているように、ウェブ１２は連続した方法で製造され、次に、いかに最終製品が消費者に流通されるかに従って後に個々の単位に切断されるのが好ましい。個々の単位はロール製品（紙タオル、手洗い用ティシュ）と個別のシート（テーブルナプキン）を含む。本発明では、シート４０は消費者に折り畳み作動により作り出された個別に折り畳まれた単位として提供される。本発明は様々の型のウェブ折り畳み作動やウェブ切り離し作動に同様に適応できるが、以下に記載された適用は折り畳みシリンダー対を利用した折り畳み作動である。
【００２９】
図１Ａと図１Ｂに図示されているのは、表示４５が施された紙ウェブ１２を折り畳んで切断する加工作動６０である。表示４５は整合マークを含んでもよい。フィードバック制御システムは、親ロール１６から折り畳みテーブル３０へ紙ウェブ１２を送りながらウェブ速度を上げあるいは下げる可変速度ニップ・ロール２８を介して表示４５の位置を折り線に対して制御する、そして、その結果として１対の折り畳みシリンダー６０ａと６０ｂを制御する。折り畳みシリンダー対６０ａ、６０ｂは、一定の角速度で回転して、最後に半分に切断されて別個に折り畳まれたシート４０の２個の等しい積み重ねを形成する連続ウェブ積み重ね３４を形成する。
【００３０】
本発明では、ウェブ速度は折り畳みシリンダー６０ａ、６０ｂの表面速度により基本速度に設定され、可変速度ニップ・ロールにより上げられあるいは下げられる。ウェブ速度は約３０５ｍ／分（1000フィート/分）と低くてよく、好ましくは、ウェブ速度は約１５２ｍ／分（500フィート/分）と低くてよく、更に好ましくは、ウェブ速度は約３０．５ｍ／分（100フィート/分）と低くてよい。ウェブ速度は約６１０ｍ／分（2000フィート/分）と高くてよく、好ましくは、ウェブ速度は約７６２ｍ／分（2500フィート/分）と高くてよく、更に好ましくは、ウェブ速度は約９１４ｍ／分（3000フィート/分）と高くてよい。
【００３１】
表示４５の折り畳み作動との整合に適応するために、ウェブ速度を上げあるいは下げるには折り畳み作動の上流の他の装置の調整が必要である。例えば、折り畳み工程のような加工作動中に、ウェブ１２は親ロールを有する巻き戻しスタンド１４から引き出される。親ロールは典型的には、巻き戻しスタンド・モータにより駆動される表面である。折り畳み作動が親ロール１６からのウェブ供給を必要とする速度を維持するために、巻き戻しスタンド・モータ用フィードバック位置感知器に接続されたダンサー１８が、親ロール１６が巻き戻される速度を制御する。
【００３２】
加工作動は巻き戻しスタンド１４と折り畳み装置との間にエンボス加工ロール２０を備えることができる。エンボス加工は典型的には、可変速度ニップ・ロールによるウェブ速度の速い変化に調整する別個のフィードバック制御システムを必要とする独立した駆動装置を典型的には有する。当フィードバック制御システムは、アイドラー・ベアリングにおける反力を測定する電子装置であるロード・セル２２を備えることができる。反力はウェブの平均張力を測定するのに使われることができる。
【００３３】
表示４５は、表示４５を予め定めた繰り返し間隔で付すのに適した、当該技術で公知の方法によりウェブ１２に付されてよい。表示４５は１色あるいは複数色に、美的に快適に印刷されてよい。替わりに、表示４５は、厚さ、強度、軟らかさ、等の、ウェブ１２の固有の特性に影響を与えるようにエンボス加工されるかあるいは付されてもよい。表示を付す装置は折り畳み装置の上流に設置されてもよい。
【００３４】
当該装置は典型的には、ウェブ速度の調整に対応するための別個のフィードバックシステムを必要とする独立した駆動装置を有する。
【００３５】
好ましい実施例において、表示４５は回転シリンダーからウェブ１２上に印刷される。回転シリンダーは予定の角速度で中心軸の廻りに駆動される。当該技術で知られている適切な印刷方法はグラビア印刷とフレキソ印刷を含む。表示４５を基材に付す適当な装置は１９９３年５月２５日にレオパルディIIに付与され譲渡された特許第5,213,037号明細書に開示されていて、この特許の開示事項はここに参照により取り込んでいる。
【００３６】
表示４５をウェブ１２上にエンボス加工したい場合は、当該技術で知られているどのようなエンボス加工方法でも適切である。適切なエンボス加工技術は、ウエルズに１９６８年１２月３日に発行された米国特許第3,414,459号明細書、ニストランドに１９７１年１月１９日に発行された米国特許第3,556,907号明細書、マックニールに１９９４年３月１５日に発行された米国特許第5,294,475号明細書に記載された方法を含み、これらの特許の開示事項はここに参照により取り込んでいる。
【００３７】
この実施例に替わる実施例では、表示４５は接着性、軟らかさ、湿潤強度、一時湿潤強度あるいは疎水性／親水性を増す公知の添加物を含んでもよく、あるいは、ウェブ１２の他の任意の特性に機能上影響を与える公知の添加物がウェブ１２に付されてもよい。間欠的作動に使われることができ、ウェブ１２に機能性表示４５を付すのに適切であり得る装置が１９９２年９月１日にギブンスに発行された米国特許第5,143,776号明細書に開示されていて、この特許の開示事項はここに参照により取り込んでいる。
【００３８】
折り畳みの前に、ウェブ１２は、ウェブ１２の長手方向端縁４７がＭＤに整列するように可変速ニップ・ロールによりアイドラー・ローラに沿って引き出される。折り畳み作動の間、ウェブ１２は２回折られ、最初はＣＤに折られて長手方向端縁４７のそれぞれは連続してＭＤに走る折線を発生し、２回目はＭＤに折られてＣＤに走る折線を発生させる。折られたウェブ１２は引き続きＣＤに走る折線に平行に半分に切断される。切断作動はウェブ１２を個々の折り畳まれたシートに分離し、折り畳まれた状態において連続する前方端縁と後方端縁４６、４８を形成する。
【００３９】
図２に示されているように、各折り畳まれていないシートは、ＭＤとＣＤに走る直交する折り線、折り線に対応する前方端縁４６、後方端縁４８と長手方向端縁４７とにより画成される４個の象限からなる。表示は象限に対してどのような繰り返し態様で配置されてもよい。図２に記載されたシート４０では、表示４５はシートのＣＤ折り線４２と、対応する前方端縁４６あるいは後方端縁４８に並置され、シートのＸ−Ｙ面内に全体的にＣＤに配向されて、各象限内に設けられている。
【００４０】
ＣＤ折り線４２は、連続して繰り返される表示４５から予定距離だけ離間されている。図２に示されているシートでは、ＣＤ折り線４２は、連続するＣＤ折り線４２間の距離がデザイン長さ４１にほぼ等しいように２個の連続する表示４５間の中央に位置される。この結果、折り畳み過程を通して繰り返される離間された関係が得られる。離間された関係は、表示４５の折り線に対する整合を監視し、そして、ウェブ速度を調整して表示４５とＣＤ折り線４２のと間に起きる不整合を補正するためにウェブ速度を調整する制御システムにより維持される。
【００４１】
折り畳み作動は、連続したウェブ１２を折り畳み、切断して直交する折り線により画成される４個の象限を有する個々のシートを形成する適切などのような手段によって行われてもよい。図１Ａと図１Ｂを参照すると、ウェブ１２がＭＤに走行する時、ウェブ１２は、ウェブ１２をＣＤに折り畳み長手方向端縁を対面関係に持っていきＭＤ折り線を発生させる折り畳み板３０上を進む。折り畳まれたウェブ１２は、ウェブ１２を横方向にＭＤに折り畳んでＣＤ折り線４２を有する連続ウェブ積み重ね３４を連続ウェブ積み重ね３４の対向端上に形成する、１対の折り畳みシリンダー６０ａ、６０ｂへ送られる。
【００４２】
典型的な折り畳みシリンダーの配列が図３に示されている。この配列は１対の対向する、連続して回転するシリンダー６０ａ、６０ｂを含む。各シリンダー６０ａ、６０ｂは折り畳みナイフ６２ａ、６２ｂと、アンビル６６ａ、６６ｂに向かって回転する折り畳みジョー６４ａ、６４ｂとを含む。作動中、一方の折り畳みシリンダー６０ａの折り畳みナイフ６２ａは対向する折り畳みシリンダー６０ｂの、折り畳みジョー６４ｂとアンビル６６ｂの間に入り、これらの間の空間内へウェブ１２を押し入れ、ウェブ１２を折り畳みジョー６４ｂの開口まで案内する。折り畳みジョー６４ｂの閉じる動きが完了する少し前に、折り畳みナイフ６２ａが前記空間から引出され、ウェブ１２は折り畳みジョー６４ｂとアンビル６６ｂとの間に挟まれて、折り畳みジョー６４ｂが開きウェブ１２が解放されるまで、連続的に回転する折り畳みシリンダー６０ｂの円周に沿って案内される。同時に、折り畳みシリンダー６０ｂがウェブ１２を解放している間、同じシリンダー６０ｂの折り畳みナイフ６２ｂは対向するシリンダー６０ａの、折り畳みジョー６４ａとアンビル６６ａとの間へ入りウェブ１２をこれらの間に押し入れ、この過程が繰り返される。この繰り返し過程が進み、連続ウェブ積み重ね３４が形成される。
【００４３】
連続するシートに対して表示４５を象限に配置しつづけるには、制御システムがＣＤ折り線４２の位置に対して表示４５の位置を監視する。折り畳み工程の前に、ウェブ１２は、折り畳みシリンダー６０ａ、６０ｂの上流に公知の距離の位置に固定された光学感知器２６に並置された一連のアイドラー・ローラー２４上を抄紙方向に走行する。光学感知器２６はウェブ１２上の表示４５の位置を検出する。好ましくは、感知器２６は表示４５とウェブ１２との反射率の差を求める。
【００４４】
当然、表示４５はウェブ１２との十分な対比を提供しないかもしれない。この場合では、整合マークを表示に整合してウェブ１２に付すことができる。整合マークは表示４５内に含まれてもよいし、あるいは整合マークはウェブ１２の耳部に付されてもよい。耳部は、シート４０の、外側縁の部分であり、消費者に提供される、シートの部分から後に取り除かれる部分を言う。耳部は消費者に提供されないので、耳部に付される整合マークは整合マークの位置を感知装置に示すのに適したいかなる寸法あるいは形状であってもよい。好ましくは、整合マーク３１は表示４５を印刷するのに使われる版によりウェブ上に印刷される。このようにして整合マークを表示４５に対して離間することあるいは表示４５のいずれかの部分に付すことは公知である。
【００４５】
光学感知器２６は、この感知器２６に並列に通過するすべての表示４５に即時パルスからなる第１信号を発生する。即時パルスは表示４５の時間に対する位置を表す。
【００４６】
折り畳みシリンダー６０ａ、６０ｂは、基本ウェブ速度を定める一定角速度に設定される。折り畳みシリンダー６０ａ、６０ｂに取りつけられた位置解像器３６は回転ごとに繰り返す数値からなる第２信号を発生する。数値はいかなる時点においても折り畳みシリンダー６０ａ、６０ｂの角度位置を表す。
【００４７】
適切な位置解像器３６は、オハイオ州、クリーヴランドのリライアンス電気会社からモデルＮo.Ｍ／Ｎ５７Ｃ３６０を入手することができ、第２信号が取り出される回転要素を駆動するモータで代表して呼ばれる。解像器は、部品No.Ｍ／Ｎ５７Ｃ４１１としてリライアンス電気会社から出されているような解像器入力モジュールと一緒に使用されてもよい。もし、所望であれば、当該技術で知られているように、適切な制御論理を使用することを前提に、エンコーダが位置解像器の替わりに使用されることができる。適切な位置解像器３６は少なくとも０．１度内の角位置を決定できる。好ましい位置解像器は回転当たりの数値に対応して少なくとも４，０９６の異なる位置を有する。
【００４８】
光感知器２６と位置解像器３６は、光感知器より発生された即時パルスが位置解像器３６により発生された特定の数値と整合するように設定される。位置解像器３６により発生された特定数値は、ＣＤ折り線４２が表示と整合する、折り畳みシリンダーの各位置を示す。表示４５（整合マーク）とＣＤ折り線４２間の不整合はウェブ速度制御装置８０を介して測定され修正される。ウェブ速度制御装置８０は、可変速度ニップ・ロール２８に接続されたサーボ・モーター８４を起動する信号比較器８２からなる。適切な信号比較器８２は、解像フォト・アーイと解像入力カードとからなるリライアンス電気オート・マックス・プロセッサー・モジュールである。
【００４９】
第１信号と第２信号は、第１信号により作られるパルスと第２信号により発生される数値を測定してエラー信号を出す信号比較器８２に入力される。エラー信号は第２信号の実際の数値と、表示がＣＤ折り線と整合位置するのに所望の特定数値との差に基ずく。実際の数値と所望の数値との差は、ＣＤ折り線が表示と整合する所望の位置とＣＤ折り線のウェブ上の位置との距離を表す。
【００５０】
エラー信号は、ウェブ速度の調整が必要かどうかを決定するために事前調節値と比較されことができる。事前調節値は、表示に対する実際のＣＤ折り線の位置と表示に対する所望のＣＤ折り線の位置との間の距離である。言い換えれば、事前調節値は、ＣＤ折り線が表示との整合からずれる量を表す。本発明の適切な事前調節値は±０．３１７５ｃｍ（±０．１２５インチ）（合計範囲０．６３５ｃｍ（０．２５インチ）に対して）、好ましくは、±０．１６００２ｃｍ（±０．０６３インチ）（合計範囲０．３１７５ｃｍ（０．１２５インチ）に対して）である。最も好ましくは、本発明の事前調節値はゼロに等しい。従って、信号比較器がエラーを検出した際には、可変速度ニップ・ロール２８がサーボ・モータを介して起動され、エラーをゼロに連続的に減らすためにウェブ速度を上げるかあるいは下げるかする。
【００５１】
当然のことながら、本発明のシート４０は、当該技術で公知のように複数個のロールを配置することにより、平行に数枚作られることができる。当工程において、消費者に提供されるシート４０よりも数倍の幅を持つた単一ウェブが装置１０内を運ばれる。ここに用いられているように、“ウェブ”は、お互いに一体化され、幅方向において平行に加工作動１０中に同時に運ばれる複数枚のシートからなる。
【００５２】
その後、ウェブは抄紙方向に、スリットされ即ち切断されて個々のウェブとされる。各ウェブ１２は、上述の工程と同様にして、平行に作動する別々の折り畳み工程を経る。
【００５３】
当然のことながら、ウェブ１２の幅方向の整合を調整することが望まれる。幅方向におけるウェブ１２の不整合は前述の離間関係にゆがみを生じさせる。当該ゆがみは、当該技術において公知の手段を用いてウェブ１２の路長を調整することにより補正できる。例えば、曲がりロール、固定と可変曲率半径を持つ曲がり軸ロール、コッキング・ロール、マウント・ホープ・ロール等が、ウェブ１２の一部分の路長をあるいは個別のシートの路長でさえ、ウェブ１２あるいはシート４０の残りの部分に対して変更するのに用いられる。
【００５４】
本発明の特定の実施例が図示され記載されてきたが、様々の他の変更、変形が本発明の精神と範囲を逸脱することなくなされることができることは当業者には明らかであろう。添付の特許請求の範囲では本発明の範囲内のこのようなすべての変更と変形を包含することが意図されている。
【図面の簡単な説明】
【図１Ａ】  図１Ａは折り畳まれたシートを作るのに使用される加工装置の概略側面図である。
【図１Ｂ】  図１Ｂは図１Ａに示された折り畳み装置の平面図である。
【図２】  図２は、図１Ａと図１Ｂに図示された加工作動により作られた典型的な単一シートの平面図である。
【図３】  図３は図１Ａと図１Ｂに図示された加工作動に使われる折り畳みシリンダーの概略図である。
【図４】  図４は図１Ａと図１Ｂに図示された折り畳み作動中に、折り畳みとの印刷整合を維持するのに使用される制御システムの概略図である。
【図１Ａ】
0004601833.tif 000002
【図１Ｂ】
0004601833.tif 000003
【図２】
0004601833.tif 000004
【図３】
0004601833.tif 000005
【図４】
0004601833.tif 000006